(57)【特許請求の範囲】
【請求項１】
被空調室の壁面に据え付けられる室内ユニットの熱交換器を通過させることにより温調した空気を空調風として吹き出し口から吹き出すことにより、被空調室内の空気調和を図る空気調和機であって、
前記吹き出し口に設けられて、吹き出し口からの空調風の吹き出し方向を変更可能であると共に吹出し方向を連続的に変更するスイングが可能なフラップと、
検知方向を中心に所定の角度範囲内を検知領域として該検知領域内で赤外線放射体の有無を検知する検知手段と、
前記検知手段の前記検知方向が変更されたときに、検知方向が変更された向きで検知手段を支持する支持手段と、
前記支持手段によって支持されている前記検知手段の前記検知方向を検出する検出手段と、
前記検出手段によって検出される前記検知手段の検知方向に基づいて、検知手段の前記検知領域内へ前記空調風が吹き出されるように前記フラップによるスイング範囲を制限する制限手段と、
を含む空気調和機。
【請求項２】
前記フラップとして、前記空調風の吹き出し方向を左右方向に変更する左右フラップを備えているときに、前記制限手段が、前記左右フラップの前記スイング範囲を前記検知手段の前記検知領域となるように制限する請求項１に記載の空気調和機。
【請求項３】
前記検知手段によって前記赤外線放射体が検出されないときに、前記空調風の吹出し及びコンプレッサを停止する吹出し停止手段を含む請求項１又は請求項２に記載の空気調和機。
【発明の詳細な説明】
【０００１】
【発明の属する技術分野】
本発明は、室内ユニットが設けられる被空気調和室内の空気調和を図る空気調和機に関する。詳細には、被空調室内の人を検知して作動する空気調和機に関する。
【０００２】
【従来の技術】
空気調和機（以下「エアコン」と言う）は、被空調室内に設けられている室内機（室内ユニット）の熱交換器を通過させることにより温調した空気を吹き出すことにより、被空調室内の空気調和を図るようになっている。
【０００３】
このようなエアコンでは、リモコンスイッチ等によって設定された運転モードで、室内が設定温度となるように空調運転を行うことにより、被空調室内が所望の空調状態となるようにしている。
【０００４】
一方、エアコンの室内ユニットには、吹き出し口にフラップを設け、温調した空気（空調風）を室内の任意の方向へ吹き出すことができるようにしている。このようなフラップには、空調風の吹き出し方向を上下方向に変化させる上下フラップに加え、空調風の吹き出し方向を左右方向へ変化させることができる。
【０００５】
また、エアコンによる空調運転を行うときに、空調風を人の居る方向へ吹き出すことにより、被空調室の大きさに対して空調能力の低いエアコンを用いても、快適な空調感が得られると共に、効率の良い空調運転が可能となる。このために、左右フラップが設けられたエアコンでは、左右フラップをスイングさせることにより、室内の全域に空調風が行き渡るようにできる。
【０００６】
ところで、エアコンには、室内ユニットに赤外線式の人検知センサを取付け、室内ユニットが設けられている被空調室内に人が居るか否かを判断し、人の居ることを検知したときに空調運転を行うことにより、省エネを図るようにしたものがある。このような人検知センサは、被空調室内の全域を検出範囲とできるように、検出可能範囲が広くなっている。
【０００７】
しかしながら、被空調室内の全域へ向けて効率良く空調風を吹き出すようにするためには、室内ユニットを被空調室の壁面の中央部に配置することが好ましいが、被空調室の形状等のために、室内ユニットを被空調室内の中央部に据え付けることが困難となることがある。すなわち、室内ユニットを壁際に据え付けなければならないことがある。
【０００８】
このような場合、例えば左右フラップをスイングさせると、室内ユニットに隣接する壁面に吹き付けた空調風によって人検知センサが誤検出し、人が居なくなって停止する必要があるときに、人が居ると判断して空調運転を継続し、無駄に電力を消費し、省エネ効果が得られなくなってしまう。
【０００９】
また、被空調室の隅に室内ユニットを取付けたときには、左右フラップのスイングを行うと、人の居ない壁面へ向けて空調風を吹き出してしまうことがあり、効率的な空調が困難となってしまうことがある。
【００１０】
【発明が解決しようとする課題】
本発明は上記事実に鑑みてなされたものであり、室内ユニットの据え付け場所にかかわらず、人検知センサの誤検出を防止し、効率の良い空調が可能となる空気調和機を提案することを目的とする。
【００１１】
【課題を解決するための手段】
上記目的を達成するための本発明は、被空調室の壁面に据え付けられる室内ユニットの熱交換器を通過させることにより温調した空気を空調風として吹き出し口から吹き出すことにより、被空調室内の空気調和を図る空気調和機であって、前記吹き出し口に設けられて、吹き出し口からの空調風の吹き出し方向を変更可能であると共に吹出し方向を連続的に変更するスイングが可能なフラップと、検知方向を中心に所定の角度範囲内を検知領域として該検知領域内で赤外線放射体の有無を検知する検知手段と、前記検知手段の前記検知方向が変更されたときに、検知方向が変更された向きで検知手段を支持する支持手段と、前記支持手段によって支持されている前記検知手段の前記検知方向を検出する検出手段と、前記検出手段によって検出される前記検知手段の検知方向に基づいて、検知手段の前記検知領域内へ前記空調風が吹き出されるように前記フラップによるスイング範囲を制限する制限手段と、を含む。
【００１２】
この発明によれば、検知手段が検知方向を変更可能に支持手段に支持されており、赤外線を検知する検知手段の向きを変えるなどすることにより、検知領域が変更される。検出手段は、この検知手段の検知方向を検出する。
【００１３】
制限手段は、空調風の吹出し方向を連続的に変化させるスイングが行われるときに、この検出手段の検出結果に基づいてフラップによるスイング範囲を制限することにより、検知手段の検知領域へ空調風が吹き出されるようにしている。
【００１４】
これにより、検知手段の誤検知（誤作動）の恐れのある壁面等を検知手段の検知領域から外したり、人の居る方向が検知領域となるようにすることができ、検知手段を的確にかつ効率よく作動させることができる。
【００１５】
また、検知手段の検知領域にあわせて空調風を吹出すことができるので、効率的な空調が可能となる。
【００１６】
このような本発明では、前記フラップとして、前記空調風の吹き出し方向を左右方向に変更する左右フラップを備えているときに、前記制限手段が、前記左右フラップの前記スイング範囲を前記検知手段の前記検知領域となるように制限する。
【００１７】
また、本発明では、前記検知手段によって前記赤外線放射体が検出されないときに、前記空調風の吹出し及びコンプレッサを停止する吹出し停止手段を含むことが好ましい。
【００１８】
【発明の実施の形態】
以下に本発明の一実施の形態を説明する。図１には本実施の形態に適用した空気調和機（以下「エアコン１０」という）を示している。このエアコン１０は、室外機（以下「室内ユニット１２」とする）と室外機（以下「室外ユニット１４」とする）とによって構成されており、ワイヤレスリモコンスイッチ（以下「リモコン１２０」という）の操作によって運転／停止される。また、エアコン１０は、リモコン１２０で運転モード、設定温度等の運転条件が設定されて操作信号が送出されると、この操作信号を室内ユニット１２で受信して操作信号に基づいた運転が行われる。
【００１９】
図２には、エアコン１０の冷凍サイクルを示している。このエアコン１０は、被空調室に設置される室内ユニット１２と室外に設置される室外ユニット１４とは、冷媒を循環させる太管の冷媒配管１６Ａと、細管の冷媒配管１６Ｂとで接続されている。
【００２０】
室内ユニット１２には、ケーシング４２内に熱交換器１８が設けられており、冷媒配管１６Ａ、１６Ｂのそれぞれの一端がこの熱交換器１８に接続されている。また、冷媒配管１６Ａの他端は、室外ユニット１４のバルブ２０Ａに接続されている。このバルブ２０Ａは、マフラー２２Ａを介して四方弁２４に接続されている。この四方弁２４は、それぞれがコンプレッサ２６に接続されているアキュムレータ２８とマフラー２２Ｂとが接続されている。
【００２１】
さらに、室外ユニット１４には、熱交換器３０が設けられている。この熱交換器３０は、一方が四方弁２４に接続され、他方がキャピラリチューブ３２、ストレーナ３４、モジュレータ３８を介してバルブ２０Ｂに接続されている。また、ストレーナ３４とモジュレータ３８の間には、電動膨張弁３６が設けられ、バルブ２０Ｂには、冷媒配管１６Ｂの他端が接続されている。これによって、室内ユニット１２と室外ユニット１４の間に冷凍サイクルが構成されている。
【００２２】
エアコン１０は、コンプレッサ２６の運転によってこの冷凍サイクル中を冷媒が循環されることにより冷房または暖房運転が可能となっている。すなわち、冷房モードでは、コンプレッサ２６によって圧縮された冷媒が熱交換器３０へ供給されることにより液化され、この液化された冷媒が室内ユニット１２の熱交換器１８で気化することにより、熱交換器１８を通過する空気を冷却する。また、暖房モードでは、逆に、コンプレッサ２６によって圧縮された冷媒が、室内ユニット１２の熱交換器１８で凝縮されることにより放熱し、この冷媒が放熱した熱で熱交換器１８を通過する空気が加熱される。
【００２３】
図２では矢印によって暖房運転時（暖房モード）と冷房運転時（冷房モードまたはドライモード）の冷媒の流れを示しており、四方弁２４の切り換えによって、運転モードが冷房モード（含むドライモード）と暖房モードが切り換えられ、電動膨張弁３６の弁開度を制御することにより、冷媒の蒸発温度が調整される。なお、本発明は、任意の構成の空気調和機に適用することができ、エアコン１０はその一例を示している。
【００２４】
図３に示すように、室内ユニット１２のケーシング４２には、吸込み口４６と吹出し口５０が形成されている。このケーシング４２は、ベース板４０によって被空調室の壁面等へ固定される。
【００２５】
ケーシング４２内には、熱交換器１８と吸込み口４６の間にクロスフローファン４４とフィルタ４８が配置されており、クロスフローファン４４の作動によって吸込み口４６から吸引された空気は、フィルタ４８及び熱交換器１８を通過した後、吹出し口５０から室内へ吹き出される。このとき、室内へ吹き出される空気が熱交換器１８を通過することにより熱交換器１８内を循環される冷媒との間で熱交換が行われ、室内を空調する空調風として吹き出される。
【００２６】
室内ユニット１２の吹出し口５０には、左右フラップ５２及び上下フラップ５４が設けられている。吹出し口５０から吹出される空調風は、左右フラップ５２によって左右方向（水平方向、図３の紙面表裏方向）に変更され、また、上下フラップ５４によって上下方向（垂直方向、図３の紙面上下方向）に変更される。
【００２７】
図４に示すように、室内ユニット１２には、電源基板５６、コントロール基板５８及びパワーリレー基板６０が設けられている。エアコン１０を運転するための電力が供給される電源基板５６には、モータ電源６２、制御回路電源６４、シリアル電源６６及び駆動回路６８が設けられている。また、コントロール基板５８には、シリアル回路７０、駆動回路７２及びマイコン７４が設けられている。
【００２８】
電源基板５６の駆動回路６８には、クロスフローファン４４を駆動するファンモータ７６（例えばＤＣブラシレスモータ）が接続されており、コントロール基板５８に設けられているマイコン７４からの制御信号に応じてモータ電源６２から駆動電力を供給する。このとき、マイコン７４は、駆動回路６８からの出力電圧を１２Ｖ〜３６Ｖの範囲で２５６ステップで変化させるように制御する。これによって、室内ユニット１２の吹出し口５０から吹き出される空調風の風量が調整される。
【００２９】
コントロール基板５８の駆動回路７２には、パワーリレー基板６０、左右フラップ５２を操作する左右フラップモータ７７及び上下フラップ５４を操作する上下フラップモータ７８が接続されている。
【００３０】
図３に示すように、例えば左右フラップ５２は、左右方向に所定の間隔で並んでいるフィン５２Ａのそれぞれが連結バー５２Ｂによって連結されており、この連結バー５２Ｂを左右フラップモータ７７の駆動力によって左右方向に移動させることにより、フィン５２Ａの向きが変えられる。また、上下フラップ５４は、フィン５４Ａのそれぞれがピン５４Ｂに取付けられており、上下フラップモータ７８の駆動力によってこのピン５４Ｂを回動させることにより、フィン５４Ａの向きが上下方向に変えられる。
【００３１】
マイコン７４は、左右フラップモータ７７及び上下フラップモータ７８を制御することにより、左右フラップ５２及び上下フラップ５４のそれぞれを操作する。これにより、左右フラップ５２が左右方向へスイングされることにより、吹出し口５０から吹き出される空調風の吹出し方向が左右方向へ換えられ、上下フラップ５４が上下方向へスイングされることにより、室内ユニット１２の吹出し口５０から吹き出される空調風の吹出し方向が上下方向へ換えられる。エアコン１０では、左右フラップ５２及び上下フラップ５４の向きを任意の位置に固定可能となっていると共に、予め設定している所定の範囲内でスイング可能となっている。
【００３２】
エアコン１０では、クロスフローファン４４の回転と左右フラップ５２及び上下フラップ５４の操作を制御することにより、所望の風量及び風向または室内を快適にするために制御された風量及び風向で空調された空気を室内へ吹出す。
【００３３】
図４に示すように、バーパワーリレー基板６０には、パワーリレー８０と温度ヒューズ等が設けられており、マイコン７４からの信号によって、パワーリレー８０を操作し、室外ユニット１４へ電力を供給するための接点８０Ａを開閉する。エアコン１０は、接点８０Ａが閉じられることにより、室外ユニット１４への電力の供給が可能となる。
【００３４】
マイコン７４及び電源回路５６のシリアル電源６６に接続されているシリアル回路７０は、室外ユニット１４へ接続されており、マイコン７４は、このシリアル回路７０を介して室外ユニット１４との間でシリアル通信を行い、室外ユニット１４の作動を制御する。
【００３５】
また、室内ユニット１２には、リモコンスイッチ１２０（図１参照）からの操作信号を受信する受信回路及び運転表示用の表示ＬＥＤ等を備えた表示基板８２が設けられており、この表示基板８２がマイコン７４に接続されている。図１に示すように、表示基板８２の表示部８２Ａは、ケーシング４２の前面に配置されており、この表示部８２Ａにリモコンスイッチ１２０から送出される操作信号を受信する受信部が設けられている。これにより、リモコンスイッチ１２０を表示部８２Ａへ向けて操作することにより、リモコンスイッチ１２０からの操作信号がマイコン７４に入力される。
【００３６】
図４に示すように、マイコン７４には、室内温度を検出する室温センサ８４及び熱交換器１８のコイル温度を検出する熱交温度センサ８６が接続され、さらに、コントロール基板５８に設けられているサービスＬＥＤ及び運転切換スイッチ８８が接続されている。運転切換スイッチ８８は、「通常運転」とメンテナンス時等に行う「試験運転」との切換及び、電源スイッチ８８Ａの接点を開放してエアコン１０への運転電力の供給を遮断する「停止」に切換えられる。通常、この運転切換スイッチ８８は、「通常運転」に設定され電源スイッチ８８Ａの接点が閉じられている。なお、サービスＬＥＤは、メンテナンス時に点灯操作することにより、サービスマンに自己診断結果を知らせるようになっている。
【００３７】
室内ユニット１２には、室外ユニット１４との間の配線が接続される端子台９０が設けられている。端子台９０のターミナル９０Ａ、９０Ｂ、９０Ｃには、室内ユニット１２から室外ユニット１４へ供給する電源用の配線と、室内ユニット１２と室外ユニット１４の間でシリアル通信を行うための配線が接続される。
【００３８】
図５に示すように、室外ユニット１４には、端子台９２が設けられており、この端子台９２のターミナル９２Ａ、９２Ｂ、９２Ｃがそれぞれ室内ユニット１２の端子台９０のターミナル９０Ａ、９０Ｂ、９０Ｃに接続される。
【００３９】
この室外ユニット１４には、整流基板９４、コントロール基板９６が設けられている。コントロール基板９６には、マイコン９８、ノイズフィルタ１００Ａ、１００Ｂ、１００Ｃ、シリアル回路１０２及びスイッチング電源１０４等が設けられている。
【００４０】
整流基板９４には、ノイズフィルタ１００Ａを介して供給される電力を倍電圧整流し、ノイズフィルタ１００Ｂ、１００Ｃを介して平滑化した直流電力をスイッチング電源１０４へ出力する。スイッチング電源１０４は、マイコン９８と共にインバータ回路１０６に接続されており、このインバータ回路１０６がコンプレッサモータ１０８に接続されている。インバータ回路１０６は、マイコン９８から出力される制御信号に応じた周波数の電力をコンプレッサモータ１０８へ出力し、コンプレッサ２６を回転駆動する。
【００４１】
なお、マイコン９８は、インバータ回路１０６から出力される電力の周波数が、オフまたは１４Hz以上（上限は運転電流の上限による）の範囲となるように制御しており、これによって、コンプレッサモータ１０８、すなわちコンプレッサ２６の回転数が変えられ、コンプレッサ２６の運転能力（エアコン１０の冷暖房能力）が制御される。
【００４２】
このコントロール基板９６には、四方弁２４及び熱交換器３０を冷却するための送風ファン（図示省略）を駆動するファンモータ１１０、ファンモータコンデンサ１１０Ａが接続されている。また、室外ユニット１４には、外気温度を検出する外気温度センサ１１２、熱交換器３０の冷媒コイルの温度を検出するコイル温度センサ１１４及びコンプレッサ２６の温度を検出するコンプレッサ温度センサ１１６が設けられており、これらがマイコン９８に接続されている。
【００４３】
マイコン９８は、運転モードに応じて四方弁２４を切り換えると共に、室内ユニット１２からの制御信号、外気温度センサ１１２、コイル温度センサ１１４及びコンプレッサ温度センサ１１６の検出結果に基づいて、ファンモータ１１０のオン／オフ及びコンプレッサモータ１０８の運転周波数（コンプレッサ２６の能力）等を制御する。
【００４４】
また、コントロール基板９６には、電動膨張弁３６を開閉駆動するモータ１１８が図示しないドライバを介して接続されており、マイコン９８は、モータ１１８によって電動膨張弁３６の開度を制御する。
【００４５】
エアコン１０では、リモコンスイッチ１２０によって設定された運転条件が入力されることにより、該運転条件に基づいた運転モード、風向、風量で運転し、被空調室内の室温が設定温度となるようにしている。
【００４６】
ところで、図１及び図６に示すように、室内ユニット１２には、表示部８２Ａに人検知センサ１３０が設けられている。図４に示すように、室内ユニット１２には、人検知回路１３２が設けられており、人検知センサ１３０はこの人検知回路１３２を介してマイコン７４に接続されている。
【００４７】
図７に示すように、人検知センサ１３０は、赤外線を集光するフルネルレンズ１３４と、フルネルレンズ１３４によって集光される赤外線を検出する集電素子１３６によって形成されている。
【００４８】
図４に示す人検知回路１３２は、人体等の赤外線放射体から放射される赤外線を集光することにより集電素子１３６の出力電圧が上昇し、所定値（閾値）を越えると、オン信号をマイコン７４に出力する。これにより、マイコン７４は、被空調室内に人が居ると判断するようになっている。
【００４９】
エアコン１０は、例えば運転モードとして人検知モードが設定されており、この人検知モードが選択されると、人検知センサ１３０によって被空調室内に居る人を検知しているときにのみ、コンプレッサ２６及びクロスフローファン４４等を駆動して、空調運転を行う。また、エアコン１０は、人検知センサ１３０が人を検知していないと判断される状態となると、コンプレッサ２６及びクロスフローファン４４を停止状態として待機する。
【００５０】
一方、図７に示すように、人検知センサ１３０は、ピン１３８を介してブラケット１４０に取付けられている。このピン１３８は、軸線方向が略上下方向（図７の紙面上限方向）に沿って設けられ、両端がブラケット１４０に軸支されている。これにより、人検知センサ１３０は、ピン１３８を軸にしてフルネルレンズ１３４の向きを左右方向（図７の紙面表裏方向）に変えることができるようになっている。
【００５１】
ピン１３８には、スリット板１４２が取付けられており、このスリット板１４２が、人検知センサ１３０と一体に回転するようになっている。また、ブラケット１４０には、スリット板１４２に対向して方向検出センサ１４４が取付けられている。この方向検出センサ１４４は、人検知センサ１３０と一体でスリット板１４２が回動したときに、例えばスリット板１４２の所定位置に形成されているスリット（図示省略）の有無から人検知センサ１３０の向き、すなわち、フルネルレンズ１３４の向きを検出するようになっている。
【００５２】
マイコン７４は、この方向検出センサ１４４によって検出される人検知センサ１３０の向きに応じて左右フラップ５２の向き、すなわち、左右フラップ５２のスイング範囲を制限するようにしている。
【００５３】
人検知センサ１３０は、フルネルレンズ１３４が向けられた方向で所定の角度範囲内（例えば約１００°）が検出領域となっている。これにより、フルネルレンズ１３４（人検知センサ１３０）を室内ユニット１２の正面に向けたときには、図８（Ａ）に破線で示す角度θ0の範囲が検出領域となる。また、人検知センサ１３０は、右方向（矢印Ｒ方向）へ向けられたときには、一点鎖線で示す角度θRの範囲が検出領域となり、左方向（矢印Ｌ方向）へ向けられたときには、二点鎖線で示す角度θLの範囲が検出領域となる。
【００５４】
すなわち、人検知センサ１３０は、右方向へ向けられることにより、室内ユニット１２の左側が非検出領域となり、左方向へ向けられることにより、室内ユニット１２の右側が非検出領域となる。
【００５５】
一方、図８（Ｂ）に示すように、左右フラップ５２のスイング範囲は、角度φ0の領域となっているのに対して、マイコン７４は、人検知センサ１３０が右方向へ向けられることにより、室内ユニット１２の左側のスイング範囲を狭め、右側に寄った角度φRの範囲内で左右フラップ５２をスイングする。また、人検知センサ１３０が方向へ向けられることにより、室内ユニット１２の右側のスイング範囲を狭め、左方向に寄った角度φLの範囲内で左右フラップ５２をスイングする。この左右フラップ５２のスイング範囲は、それぞれの向きで人検知センサ１３０の検知範囲を含む領域となっている。
【００５６】
なお、人検知センサ１３０の上下方向に沿った向きは、水平方向に対して僅かに下方側（図７の紙面下方側、本実施の形態では一例として約２４°）へ向けられている。
【００５７】
以下に本実施の形態の作用を説明する。
【００５８】
エアコン１０では、リモコンスイッチ１２０のスイッチ操作によって運転モード、設定温度、風向及び風量が設定されて運転開始（例えば運転／停止ボタンの操作）が指示されることにより空調運転を開始する。エアコン１０は、空調運転を開始すると、設定温度と室内温度を測定し、この測定結果に基づいて、コンプレッサ２６の運転周波数、風量（クロスフローファン４４の回転数）等を設定し、この設定結果に基づいて空調運転を行う。
【００５９】
室外ユニット１４では、設定された運転モードに応じて四方弁２４を切換える。これにより、例えば、冷房ないしドライモードに設定されると、コンプレッサ２６によって圧縮された冷媒は、室外ユニット１４の熱交換器３０へ供給されて熱交換器３０を通過するときに液化され、この液化された冷媒が室内ユニット１２の熱交換器１８へ供給される。熱交換器１８では、この冷媒が通過するときに気化することにより、熱交換器１８を通過する空気を冷却する。
【００６０】
また、暖房モードに設定されると、四方弁３４を切り換えてコンプレッサ２６によって圧縮した高圧の冷媒が室内ユニット１２の熱交換器１８へ供給する。この冷媒が熱交換器１８で液化することにより、熱交換器１８を通過する空気を加熱する。
【００６１】
このようにして熱交換器１８を通過する空気を温調することにより、温調された空気が吹出し口５０から空調風として被空調室内に吹出される。
【００６２】
ところで、エアコン１０には、室内ユニット１２に人検知センサ１３０を設け、例えば人検知モードに設定されることにより、この人検知センサ１３０の検知結果に基づいて運転／待機の切り換えを行う。すなわち、リモコンスイッチ１２０によって運転／停止を含む操作を行うときには、被空調室内に操作者が居る。エアコン１０では、この操作者から発せられる赤外線を人検知センサ１３０によって検知することにより、空調運転を開始する。
【００６３】
これに対して、被空調室内に人が居なくなることにより、人検知センサ１３０が非検知状態となる。エアコン１０は、人検知センサ１３０が非検知状態となると、クロスフローファン４４及びコンプレッサ２６の回転を停止して待機状態となる。また、この待機状態から被空調室に人が入り、人検知センサ１３０が検知状態となると、エアコン１０は、クロスフローファン４４及びコンプレッサ２６の回転を開始する。これにより、被空調室内が空調される。
【００６４】
エアコン１０に設けている人検知センサ１３０は、ピン１３８を軸にして回動することにより、フルネルレンズ１３４及び集光素子１３６の向きが変えられる。すなわち、人検知センサ１３０の向きが変えられる。
【００６５】
この人検知センサ１３０の向きを変えることにより、人検知センサ１３０の検知領域が移動する。すなわち、人検知センサ１３０の検知領域が変えられる。
【００６６】
これにより、例えば、被空調室内で人が居る領域が限られるときには、この領域が人検知センサ１３０の検知領域となるようにすることができる。また、室内ユニット１２の据え付けるときに、室内ユニット１２の据え付ける壁面に隣接する壁面が室内ユニット１２に近く、この壁面に人検知センサ１３０の検知領域がかかるときには、この壁面が人検知センサ１３０の検知領域から外れるように人検知センサ１３０の向きを変えることができる。
【００６７】
これにより、人検知センサ１３０が、人の居ない壁面に向けられることにより実質的な検知領域が狭くなるのを防止することができ、限られた検知領域内で効率良く人の有無を検知することができる。
【００６８】
また、人検知センサ１３０の検知領域にこの壁面が含まれていると、吹出し口５０から吹出される空調風（例えば温風）が、この壁面にあたるなどすることにより、人検知センサ１３０の誤動作を生じ、被空調室内に人が居ないにもかかわらず、人検知モードに設定されたエアコン１０が空調運転をしつづけてしまうことがある。
【００６９】
このときに、この壁面を人検知センサ１３０の検知領域から外れるように人検知センサ１３０の向きを変えることにより、人検知センサ１３０の誤動作を防止し、人の有無に基づいた確実な空調運転／待機の切り換えを行うことができる。
【００７０】
一方、エアコン１０では、人検知センサ１３０の向きを方向検知センサ１４４の検出結果に基づいて制限している。すなわち、図８（Ａ）の二点鎖線で示すように、人検知センサ１３０の向きを右方向へ向けたときには、図８（Ｂ）に二点鎖線で示すように、左右フラップ５２のスイング範囲を右側に寄せることができる。これにより、人検知センサ１３０を被空調室内で人の居る領域へ向ければ、この領域に向けて空調風を吹出すことができる。
【００７１】
人検知センサ１３０の検知領域から人の居ない壁面又は壁面側が外れるように人検知センサ１３０の向きを変えることにより、人検知センサ１３０の検知領域から外れた方向に空調風を吹出すことがないため、人の居ない方向や壁面へ向けて空調風を吹出すことによる空調効率の低下を防止することができる。
【００７２】
すなわち、被空調室内の全域を空調しようとする場合、被空調室内の広さに応じた能力のエアコン１０を用いる必要がある。これに対して、人検知センサ１３０の検知領域のみに空調風を吹出すことにより、この人検知センサを人の居る方向へ向けることができる。
【００７３】
また、被空調室内の構造や家具の配置によっては、室内ユニット１２の取付け位置に制約を受けたり、人の居る領域が室内ユニット１２の正面から外れることがある。このときに、人の居る領域に人検知センサ１３０を向けることにより、この領域を効率的に空調することができる。
【００７４】
これにより、空調能力が低くても被空調室内に居る人は快適な空調感が得られる。
【００７５】
なお、以上説明した本実施の形態は，本発明の構成を限定するものではない。本発明は、人検知手段を設け，この人検知手段の検出結果に基づいて空調運転を行う任意の構成の空気調和機に適用することができる。
【００７６】
また，本実施の形態では、スリット板１４２と方向検知センサ１４４によって、正面、右方向及び左方向の３段階で人検知センサ１３０の向きを検出するようにしたが、検出手段の構成はこれに限定するものではなく、人検知センサ１３０の検知方向を可能な構成であれば任意の構成を用いることができる。
【００７７】
このときに、例えば、人検知センサ１３０の向きを３段階以上又は角度として詳細に検出し、この検出結果にあわせて、左右フラップ５２のスイング範囲を細かく設定するようにしてもよい。
【００７８】
さらに，本実施の形態では、室内ユニット１２の略中央部に１個の人検知センサを設けたエアコン１０を例に説明したが、これに限らず、右方向の検知用と左方向の検知用に２個の人検知センサを設けたものであっても良い。例えば、図９及び図１０（Ａ）に示すように、エアコン１０Ａでは、表示部８３Ａに右方向の検知用の人検知センサ１３０Ｒと左方向の検知用の人検知センサ１３０Ｌを設けている。また、エアコン１０Ａには、吸込み口４６が形成されているパネル内にセンサ切換えスイッチ１５０（図１０（Ｃ）参照）を設け、このセンサ切換えスイッチ１５０によって人検知センサ１３０Ｒ、１３０Ｌの切換えを行う。
【００７９】
このときに、人検知センサ１３０Ｒ、１３０Ｌを選択した時には、左右フラップ５２のスイング範囲を制限せず、人検知センサ１３０Ｒ又は人検知センサ１３０Ｌを選択した時には、選択した人検知センサ１３０Ｒ、１３０Ｌに応じてフラップ５２のスイング範囲（図８（Ｂ）に示す角度φR又は角度φL）を制限すればよい。
【００８０】
また、本実施の形態では、人検知センサ１３０の向きを左右方向に変更した例を説明したが、さらに、人検知センサ１３０の向きを上下方向に変更可能とし、この人検知センサ１３０の上下方向に沿った向きに応じて上下フラップ５４のスイング範囲を制限するようにしてもよい。この場合、検出手段としては、左右方向の向きを検出するのと同じように任意の構成を用いることができる。
【００８１】
例えば、人検知センサ１３０の向きを水平方向に近い下側を向けるようにすることにより、室内ユニット１２の真下側を上下フラップ５４のスイング範囲から外し、人検知センサ１３０がこれよりも下側に向いたときには、上側をスイング範囲から外せばよい。
【００８２】
これにより、室内ユニット１２の据え付け位置が低く床面に近い時には、人検知センサ１３０を水平方向に近くなる向きとすることにより、室内ユニット１２の下側を検知領域及び空調風の吹出し領域から外すことができ、また、室内ユニット１２の据え付け位置が高い時には、人検知センサ１３０の向きを下側に向ければ、比較的床面から高い位置を人検知センサ１３０の検知領域及び空調風の吹出し領域から外して効率的な空調が可能となると共に、的確な人検知が可能となる。
【００８３】
【発明の効果】
以上説明したように本発明によれば、検知手段の検知方向を変えることにより検知領域を変更可能とし、この変更された検知領域へ向けて空調風を吹出すようにフラップのスイング範囲を制限することにより、検知手段の誤動作を防止することができると共に、効率的な空調が可能となるという優れた効果が得られる。
【図面の簡単な説明】
【図１】本実施の形態に適用したエアコンの概略構成図である。
【図２】エアコンの冷凍サイクルを示す概略図である。
【図３】室内ユニットの概略構成図である。
【図４】室内ユニットの電気回路の概略構成図である。
【図５】室外ユニットの電気回路の概略構成図である。
【図６】表示部近傍を示す室内ユニットの要部拡大図である。
【図７】人検知センサの取付けを示す概略構成図である。
【図８】（Ａ）は人検知センサの向きに対する検知領域を示す概略図であり、（Ｂ）は人検知センサの向きに応じた空調風の吹出し方向を示す概略図である。
【図９】本発明を適用したエアコンの他の一例を示す概略構成図である。
【図１０】（Ａ）は図９に示すエアコンの表示部を示す概略図、（Ｂ）は図９に示すエアコンに設けた人検知センサの検知領域を示す概略図、（Ｃ）は図９に示すエアコンに設けるセンサ切換えスイッチの概略図である。
【符号の説明】
１０    エアコン（空気調和機）
１２    室内ユニット
１４    室外ユニット
１８    熱交換器
２６    コンプレッサ
４２    ケーシング
４４    クロスフローファン
５０    吹出し口
５２    左右フラップ
５４    上下フラップ
５８    コントロール基板
７４    マイコン（制御手段）
７７    左右フラップモータ
７８    上下フラップモータ
１３０    人検知センサ（検知手段）
１３４    フルネルレンズ
１３８    ピン（支持手段）
１４０    ブラケット（支持手段）
１４４    方向検出センサ（検出手段）
【図１】
0004266482.tif 000002
【図２】
0004266482.tif 000003
【図３】
0004266482.tif 000004
【図４】
0004266482.tif 000005
【図５】
0004266482.tif 000006
【図６】
0004266482.tif 000007
【図７】
0004266482.tif 000008
【図８】
0004266482.tif 000009
【図９】
0004266482.tif 000010
【図１０】
0004266482.tif 000011